(57)【特許請求の範囲】
【請求項１】
配電盤扉（１０）等のための錠装置（１２）が、揺動レバー（１４）を受入れるため扉板の外面へ取付け可能な凹所体（１３）を持ち、扉板の切欠き（１１）を貫通して扉板面から内方へ突出しかつ受入れ空間を形成するため扉内側でかぶせられる蓋（２３）により閉鎖される少なくとも１つの付加体（２０）が凹所体（１３）に設けられ、この受入れ空間に、別体の鎖錠部材の作用により凹所体（１３）へ引込められた状態にある揺動レバー（１４）の鎖錠に役立ちかつ凹所体（１３）に形成される開口（３５）を経て接近可能な錠が設けられ、錠装置（１２）が、異形シリンダ錠又は円形シリンダ錠又は磁気カード錠等の異なる構造様式の錠の使用を可能にするものにおいて、異なる構造様式の錠（２１，２９，３０）を保持するため、それぞれの錠（２１，２９，３０）の構造様式及び機能に合わされて錠を受入れるケース（２５）が、設けられかつ交換可能に受入れ空間へ挿入可能であり、複数の交換可能なケース（２５）を受入れる凹所体（１３）の開口（３５）が単一の形状を持ち、錠（２１，２９，３０）の鍵の差込み面にある交換可能なケース（２５）の前縁（２７）が、内側でケース（２５）と共に挿入される錠（２１，２９，３０）の輪郭を形成し、外側で凹所体（１３）の単一の形状を持つ開口（３５）に合わされ、錠装置（１２）に属する複数のケースの少なくとも１つのケース（２５）内に、このケース（２５）に属する錠（２１，２９）の作用を受ける別体の鎖錠部材用の操作片（２６）が設けられていることを特徴とする、錠装置。
【請求項２】
錠（３０）が、側方に揺動可能な錠指片（３１）を持つ異形シリンダとして構成されていることを特徴とする、請求項１に記載の錠装置。
【請求項３】
付加体（２０）を閉鎖する蓋（２３）の側壁（３２）に、錠指片（３１）の運動用の自由空間としての膨出部（３３）が設けられ、蓋（２３）の側壁（３２）が取外し可能にこの蓋に保持されていることを特徴とする、請求項１又は２に記載の錠装置。
【請求項４】
錠（２１）が円形シリンダとして構成されていることを特徴とする、請求項１に記載の錠装置。
【請求項５】
錠が磁気カード錠として構成されていることを特徴とする、請求項１に記載の錠装置。
【請求項６】
錠（２９）が、操作端部に軸線方向へ突出する連行片を持つ錠シリンダとして構成されていることを特徴とする、請求項１に記載の錠装置。
【請求項７】
付加体（２０）とこの中へ挿入可能で錠（２１，２９，３０）を受入れるケース（２５）が、付加体（２０）へケース（２５）を方向づけして挿入するため互いに合わされるはまり合い構造部（２８）を持つていることを特徴とする、請求項１ないし６の１つに記載の錠装置。
【発明の詳細な説明】
本発明は、配電盤扉等のための錠装置が、揺動レバーを受入れるため扉板の外面へ取付け可能な凹所体を持ち、扉板の切欠きを貫通して扉板面から内方へ突出しかつ受入れ空間を形成するため扉内側でかぶせられる蓋により閉鎖される少なくとも１つの付加体が凹所体に設けられ、この受入れ空間に、別体の鎖錠部材の作用により凹所体へ引込められた状態にある揺動レバーの鎖錠に役立ちかつ凹所体に形成される開口を経て接近可能な錠が設けられ、錠装置が、異形シリンダ錠又は円形シリンダ錠又は磁気カード錠等の異なる構造様式の錠の使用を可能にするものに関する。
前述した特徴を持つ配電盤扉用の錠装置はドイツ連邦共和国特許出願公開第4210588号明細書から公知である。このような錠装置の１つの態様によれば、揺動レバーが、凹所体へ引込められる位置で錠によりこの位置に鎖錠されて、権限のない者による錠装置の操作を不可能にしている。公知の錠装置では、錠が凹所体の下部に固定的に設けられ、揺動レバーが若干短く構成されて、錠より上にある凹所体の範囲へ引込め可能であり、錠が揺動レバー用の別体の鎖錠部材と共同作用し、この鎖錠部材が揺動レバーをその引込められる位置に固定するか、又は錠の操作の際釈放する。鎖錠部材は、凹所体の付加体及び蓋により形成される受入れ空間へ挿入される錠を介して操作され、凹所体に形成される開口を経てこの錠に接近可能である。
公知の錠装置に伴う欠点として、異形シリンダ又は円形シリンダ又は磁気カード錠のような異なる構造様式の錠の使用が、揺動レバー及び／又は凹所体を全体として錠の構造様式の変化に合わせることなしに、直ちには可能でないことである。前記の部分は通常プラスチツクから成つているので、個々の場合工具のかなりの変更を伴うことがある。更に錠装置の使用者は、錠装置の製造の際既に規定されているそれぞれの錠の構造様式及び機能に束縛される。
従つて本発明の基礎になつている課題は、最初にあげた種類の特徴を持つ錠装置を改良して、凹所体及び揺動レバーを変更することなくそのつど使用される錠の交換を可能にすることである。
この課題の解決策は、有利な構造及び発展を含めて、この説明の後に来る特許請求の範囲の内容から明らかになる。
本発明の基本思想によれば、異なる構造様式の錠を保持するため、それぞれの錠の構造様式及び機能に合わされて錠を受入れるケースが、設けられかつ交換可能に受入れ空間へ挿入可能であり、複数の交換可能なケースを受入れる凹所体の開口が単一の形状を持ち、錠の鍵の差込み面にある交換可能なケースの前縁が、内側でケースと共に挿入される錠の輪郭を形成し、外側で凹所体の単一の形状を持つ開口に合わされ、錠装置に属する複数のケースの少なくとも１つのケース内に、このケースに属する錠の作用を受ける別体の鎖錠部材用の操作片が設けられている。
米国特許第５２３３８５１号明細書から、所定の構造様式のシリンダ錠において、付加的なアダプタを使用して、シリンダケースに異なる構成の錠シリンダを挿入することは公知であるが、最初にあげた種類の錠装置に生ずる問題についての示唆は与えられていない。
本発明に伴う利点として、不変な凹所体及び不変な揺動レバーで、錠装置に設けられるケースの交換のみによって、錠の構造様式の変更が後でも可能であり、その際ケースは、その中にある錠と共に錠装置から外されて、別の錠を持つケースに代えられる。ケースが、その前縁の範囲に、錠を受入れるための開口を規定するか又は錠の構造様式に合わされる開口を持つていることによつて、凹所体及び揺動レバーを持つ錠装置を、錠を受入れるため固定的に規定される開口を持つように構成することが可能なので、錠装置の改造又は異なる構成のため凹所体及び／又は揺動レバーを変更する必要がない。
本発明の実施態様によれば、錠の構造様式に応じて、交換可能に挿入されるケース内に、錠の作用を受ける別体の鎖錠部材用の操作片が設けられているのがよい。
本発明の異なる実施態様において、錠が、側方に揺動可能な錠指片を持つ異形シリンダとして、又は円形シリンダとして、又は磁気カード錠として、又は操作端部に軸線方向へ突出する連行片を持つ錠シリンダとして構成されるようにすることができる。前にあげなかつた別の構造様式の錠も使用することができる。
実施態様によれば、付加体とこの中へ挿入可能で錠を受入れるケースが、付加体へケースを方向づけして挿入するため互いに合わされるはまり合い構造部を持つている。この手段により、付加体中におけるケースの方向づけの際の不精確さ、及び例えば錠装置が動揺せしめられる際付加体中におけるケースの移動も防止される。
図面には本発明の実施例が示されており、以下これについて説明する。
図１は、錠及びこれを受入れるケースを含む錠装置の重要な構成部分を分解図で示し、
図２は、異なる構造の錠を持つ図１の錠装置の異なる実施例を示し、
図３は、別の構造の錠を持つ図１の錠装置の実施例を、錠の異なる組込み態様で示している。
図示した実施例では、配電盤扉10は、錠装置12の配置及び方向づけのため長く延びる切欠き11を持つている。錠装置12は配電盤扉10の外側に取付けられる凹所体13を含み、この凹所体13へ揺動レバー14が引込められている。錠装置12を操作するため揺動レバー14が凹所体13から引出し可能で、切欠き11を貫通する図示しない操作軸を介して、揺動レバー14の揺動の際移動可能な鎖錠棒16用の伝動装置15に結合されているので、揺動レバー14の揺動により鎖錠棒16が移動せしめられる。錠装置12を配電盤扉10に取付けるため、伝動装置15が取付けねじ18を介して凹所体13にねじ止め可能なので、伝動装置15と凹所体13は互いに引付けられ、配電盤扉10がその間に締付けられる。凹所体13の下部範囲において、ねじ19が配電盤扉10への凹所体13の取付けを行う。
揺動レバー14を凹所体13内に鎖錠するため、凹所体13は配電盤扉10の切欠き11を通つて扉の内側へ突出しかつ錠21を受入れる付加体20を持ち、付加体20は密封片22を介して内側で蓋23により閉鎖され、こうして錠21用の受入れ空間を形成している。蓋23はねじ24を介して付加体20に結合可能である。
図１に示す実施例では、錠21は円形シリンダとして構成され、この円形シリンダに合わされるケース25は、付加体20へ挿入可能で、その中に方向づけられて固定可能である。円形シリンダ錠21の機能のため、ケース25内に操作片26が設けられて、円形シリンダ錠21の作用を受け、凹所体13内の揺動レバー14を鎖錠又は解錠するため、付加体20内の別体の鎖錠部材に作用する。２分割のケース25は適当な取付けねじを介して付加体20内に固定され、ケース25の前縁27は内側で円形シリンダ錠21の輪郭を包囲し、外側で凹所体13の開口35に合わされている。付加体20及びケース25にある付加的なはまり合い構造部28は、付加体20中のケース25の固定的な方向づけを行う。
さて図１に示されている実施例から出発して、図１の円形シリンダ錠21を異なる構造の錠に代えようとすれば、図１と図２との比較からわかるように、図１の円形シリンダ錠21と共にケース25を付加体20から取出し、その代りに図２に示す実施例に従つて、操作端部に軸線方向へ突出する運行片を持つ錠シリンダとそれに合わされるケース25とを、凹所体13の付加体20へ挿入し、ここで適当にねじ止めしさえすればよい。更に錠装置12の構成部分は直ちに適合に応ずる。
図３から、従来の異形半シリンダ30の形の錠を使用する可能性が詳細にわかり、このような異形半シリンダ30は、揺動レバー14用の別体の鎖錠部材へ作用するため側方で揺動可能な錠指片31を持つている。異形半シリンダ30の形状に合わされるケース25は、対応する異形半シリンダ30と共に凹所体13の付加体20へ挿入可能である。錠指片31について右配置又は左配置の異形半シリンダ30の種々の組込み例が図３からわかり、ここでは更に蓋23の側壁32が、錠指片31の運動用の膨出部33を持つている。このため側壁32は、原理的に既にドイツ連邦共和国特許出願公開第4210588号明細書に記載されているように、蓋23に取外し可能に従つて交換可能に設けられている。
例えば磁気カード錠も、適当に合わされるケースと共に、凹所体13の付加体20へ取付けられ可能なことは明らかである。
同様にドイツ連邦共和国特許出願公開第4210588号明細書に既に記載されているように、凹所体13又は揺動レバー14に移動蓋36が移動可能に設けられ、凹所体13へ挿入される錠の端面をこの移動蓋36により覆うことができる。
【図１】
0003867249.tif 000002
【図２】
0003867249.tif 000003
【図３】
0003867249.tif 000004